(57)【特許請求の範囲】
【請求項１】
プラグをコンセントに装着して電気的接続を行う際に、プラグとコンセントとの間に挿入しておき、プラグをコンセントから外す際に用いるプラグ外し具において、
二つの梃子部と屈曲部とを含み、
各梃子部は、
プラグとコンセントとの装着時に、プラグとコンセントとの間に挟まれる底板部と、
底板部に連続して湾曲し、プラグとコンセントとの装着時に、プラグの側方の少なくとも一部を外囲する側方部と、
底板部と側方部との間を連結して、プラグの両側方間の外表面の少なくとも一部を覆う外表面覆部とを含み、
二つの梃子部は、プラグとコンセントとの装着時に、プラグからコンセントに差込むピンが配列される幅方向の両側に設けられ、
屈曲部は、プラグとコンセントとの装着時に、プラグからコンセントに差込むピンの間に設けられ、二つの梃子部の底板部の先端間を連結し、
梃子部の底板部には、ピンの挿通孔が、屈曲部まわりの梃子部の揺動で、底板部に対するピンの位置の変化に追従可能なように設けられ、
二つの梃子部の外表面覆部は、二つの側方部を両側から挟んで、屈曲部まわりの揺動変位を生じさせると、プラグの両側方間の外表面を覆う部分が重なる、
ことを特徴とするプラグ外し具。
【請求項２】
前記各梃子部の前記底板部には、
前記ピンの断面形状に対応する形状の挿通孔と、
挿通孔に関して、前記幅方向で、前記屈曲部から離れる方向側に形成され、梃子部の揺動によるピンの底板部に対する相対的な移動で押されて湾曲する切片部とが設けられる、
ことを特徴とする請求項１記載のプラグ外し具。
【発明の詳細な説明】
【技術分野】
【０００１】
本発明は、プラグをコンセントに装着して電気的接続を行う際に、プラグとコンセントとの間に挿入しておき、プラグをコンセントから外す際に用いるプラグ外し具に関する。
【背景技術】
【０００２】
従来から、コンセントに装着して電気的接続を行うプラグは、コンセントから外す際に大きな力を要する。これは、電気的接続を確実にするために、プラグから差込むピンをコンセント内の刃受けで弾性的に強く挟むので、刃受けからピンを引抜く際に大きな力が必要となるからである。プラグから電源の供給を受ける電気機器は、動作時以外でも電力を消費する場合があり、近年は節電の観点から、使用時以外はコンセントから外しておくことが推奨されている。
【０００３】
しかしながら、プラグ外しに大きな力を要するので、非力な老人などが、プラグを外すことが困難となる。また、非力ではなくても、プラグの周囲に十分な空間がないと、プラグのケースを確実に保持することが困難となり、プラグを外すことが困難となる。さらに、外した後で急速に抵抗が無くなることで、外した手に勢いがついて直ちには止めることができず、周囲にぶつかるおそれもある。
【０００４】
コンセントにきつく差込まれたプラグでも、容易に抜き取ることができるようにするために、差し込みプラグ外し治具が提案されている（たとえば特許文献１参照）。この差し込みプラグ外し治具は、プラグの側面に回転支持軸受けを設けておく。回転支持軸受けには、梃子となるアングル構造部杆を、回転支持軸を挿通させて装着する。プラグにアングル構造部杆を装着した状態でコンセントに差し込んでおけば、アングル構造部杆による梃子の作用で、プラグを外すことが容易となる。
【０００５】
この差し込みプラグ外し治具では、少なくとも、側面に回転支持軸受けを設けたプラグを使用しなければならないという制約がある。回転支持軸受けなどを設けない、一般のプラグとコンセントとの装着時に、プラグのケースとコンセントとの間に挟み込んで使用するプラグ外し具も提案されている（たとえば特許文献２参照）。このプラグ外し具では、プラグとコンセントの表面との間に、抜取部を挟み込んでおく。抜取部には、端部に引抜用リングが一体に接続されており、プラグをコンセントから抜取る際には、引抜用リングを引っ張る。引抜きを容易にするために、抜取部の両側に、梃部材を装着することも提案されている。
【０００６】
一般のプラグとコンセントとの装着時に、プラグのケースとコンセントとの間に挟み込んで使用するものでは、梃子を利用してプラグ抜きを容易にする簡易型プラグ抜き（特許文献３参照）や、コンセント離脱板（特許文献４参照）も提案されている。これらでは、プラグとコンセントとの装着時に、プラグとコンセントとに挟まれる部分から、ピンが配列される幅方向の両側に出る板状の部分が梃子として作用する。プラグをコンセントから抜く際に、板状の部分を両側から挟み込むことで、プラグがコンセントの表面から離れ、大きな力を加えないでも、プラグを抜くことができる。
【先行技術文献】
【特許文献】
【０００７】
【特許文献１】特開平１０−１４４３９４号公報
【特許文献２】特開２０００−４８９０７号公報
【特許文献３】特開２００３−２３４１４７号公報
【特許文献４】特開２００５−５６８０８号公報
【発明の概要】
【発明が解決しようとする課題】
【０００８】
特許文献２のように、引抜用リングを引っ張ってコンセントからプラグを引抜くと、大きな力を加えやすくなっても、大きな力が必要であることは変らないので、抜けた後で、勢い余って周囲に手をぶつけるおそれなどは残る。特許文献２で提案され、特許文献３および特許文献４でも開示されている梃子は、板状であり、厚み方向に屈曲しないように揺動させる必要がある。このため、板厚を必要とし、コンセントとプラグとの間に挟み込むと、電気的接続の信頼性が落ちるおそれがある。ＪＩＳＣ８２８２−１では、第一部の一般的要求の１３．５で、装着時にプラグとコンセントとの間の隙間が１ｍｍを越えないことが規定されている。特許文献１のようなアングル構造部杆は、底面部は差し込みプラグの刃の周囲が大きく削除されて挿入空間となっており、底面部の先端に中間棒を設ける場合は、プラグ側に凹溝を設けて、プラグとコンセントとの間の間隔が増大しないようにしている。これが可能となるのは、専用のプラグを使用するからである。
【０００９】
一般に、商用交流を電源とする電気製品や電気機器には、先端にプラグが付いた電源コードが付属している。そのようなプラグを、特許文献１のような治具付きのものに交換することは困難である。また、交換が可能であったとしても、付属していたプラグを使用しないことになり、無駄になってしまう。
【００１０】
電気製品などのプラグとその差し込み口であるコンセントなどは、共に多種のメーカー製品が用いられており、プラグとコンセントとの組合せは多様で複雑となっている。しかしながら、電気的接続に関しては、安全かつ確実に行えるように、統一規格が設定されている。特に、プラグのピンと、コンセントの差し込み口内部の刃受けとの間は、一定の規格が設定されている。
【００１１】
今日の電化社会では、プラグとコンセントとの間に、厳正な共通項が守られるように、品質管理が徹底されているけれども、プラグの外形などに関しては、多種のものが用いられ、特にプラグをコンセントから外す際に、次のような課題が存在している。
（１）プラグコードの損傷防止：コードに力を加えると、内部の導線が断線しやすくなってしまうことを防止する。
（２）差し込み口の損傷防止：外す際の外力で、コンセントの表面が損傷を受けやすくなることを防止する。
（３）プラグとコンセントとの組合せの不適合防止：プラグのピンとコンセントの刃受けとの組合せで、一旦嵌合すると、抜けにくくなり、大きな力を加えないと、外すことができなくなることを防止する。
（４）プラグ脱着時の事故防止：高齢化と電化生活の安全への安心補助。小さな力で、二本の指でもプラグを抜けるようにして、高齢者も小児も安心できるようにする。
（５）コンセント差し込み口への塵やゴミの付着防止：着脱の頻度が小さい、常時使用機器のプラグに使用しても効果があるようにする。
【００１２】
本発明の目的は、装着時に、プラグとコンセントとの間の隙間が狭くても、確実にプラグをコンセントから外すことが可能なプラグ外し具を提供することである。
【課題を解決するための手段】
【００１３】
本発明は、プラグをコンセントに装着して電気的接続を行う際に、プラグとコンセントとの間に挿入しておき、プラグをコンセントから外す際に用いるプラグ外し具において、
二つの梃子部と屈曲部とを含み、
各梃子部は、
プラグとコンセントとの装着時に、プラグとコンセントとの間に挟まれる底板部と、
底板部に連続して湾曲し、プラグとコンセントとの装着時に、プラグの側方の少なくとも一部を外囲する側方部と、
底板部と側方部との間を連結して、プラグの両側方間の外表面の少なくとも一部を覆う外表面覆部とを含み、
二つの梃子部は、プラグとコンセントとの装着時に、プラグからコンセントに差込むピンが配列される幅方向の両側に設けられ、
屈曲部は、プラグとコンセントとの装着時に、プラグからコンセントに差込むピンの間に設けられ、二つの梃子部の底板部の先端間を連結し、
梃子部の底板部には、ピンの挿通孔が、屈曲部まわりの梃子部の揺動で、底板部に対するピンの位置の変化に追従可能なように設けられ、
二つの梃子部の外表面覆部は、二つの側方部を両側から挟んで、屈曲部まわりの揺動変位を生じさせると、プラグの両側方間の外表面を覆う部分が重なる、
ことを特徴とするプラグ外し具である。
【００１６】
また本発明で、前記各梃子部の前記底板部には、
前記ピンの断面形状に対応する形状の挿通孔と、
挿通孔に関して、前記幅方向で、前記屈曲部から離れる方向側に形成され、梃子部の揺動によるピンの底板部に対する相対的な移動で押されて湾曲する切片部とが設けられる、
ことを特徴とする。
【発明の効果】
【００１７】
本発明によれば、梃子部は、底板部と側方部と外表面覆部とを含んで、プラグの少なくとも一部を外囲する立体的な形状で形成されるので、剛性を有し、板厚を厚くしないでも、側方部に外力を加えれば、底面部でコンセントからプラグを引抜くことができる。
【００１８】
また、幅方向の両側から側方部を挟んで、コンセントからプラグを引抜くことができる。
【００１９】
また、底面部を挿通するピンによって底面部の揺動が妨げられず、屈曲部まわりの揺動による梃子としての作用を行わせることができる。
【００２０】
また本発明によれば、屈曲部まわりの揺動によって、底板部に対するピンの位置が相対的に変化しても、切片部が押されて湾曲するので、底面部の揺動を円滑に行わせることができる。
【図面の簡単な説明】
【００２１】
【図１】図１は、本発明の一実施例としてのプラグ外し具１の使用状態を概略的に示す正面図である。
【図２】図２は、図１のプラグ外し具１の構成を示す正面図、平面図および右側面図である。
【図３】図３は、図１のプラグ外し具１での梃子部２，３の作用状態を示す正面図である。
【図４】図４は、本発明の実施例２としてのプラグ外し具２１の構成を示す正面図である。
【発明を実施するための形態】
【００２２】
以下、図１で本発明の実施例１としてのプラグ外し具１の使用状態を示し、図２でその構成を示す。図３では、プラグ外し具１での梃子部２，３の作用状態を示す。図４で、本発明の実施例２としてのプラグ外し具２１の構成を示す。
【００２３】
説明の便宜上、説明対象の図には記載されていない部分について、他の図に記載される参照符を付して言及する場合がある。
【実施例１】
【００２４】
図１は、本発明の一実施例としてのプラグ外し具１の先端部分の概略的な構成を示す。プラグ外し具１は、梃子部２．３と屈曲部４とを含む。梃子部２，３は、プラグ５とコンセント１０との装着時に、プラグ５とコンセント１０のケース表面１１との間に挟まれる底板部２ａ，３ａと、プラグ５の側方の少なくとも一部を外囲する側方部２ｂ，３ｂと、底板部２ａ，３ａと側方部２ｂ，３ｂとの間を連結して、プラグ５の両側方間の外表面の少なくとも一部を覆う外表面覆部２ｃ，３ｃとを含む。屈曲部４は、梃子部２，３の底板部２ａ，３ａの先端に設けられる。
【００２５】
プラグ外し具１は、図１（ａ）に示すように、プラグ５をコンセント１０に装着して電気的接続を行う際に、プラグ５とコンセント１０との間に挿入しておき、図１（ｂ）に示すように、プラグ５をコンセント１０から外す際に用いる。プラグ５は、ケース６で図の下方となる部分に、コンセント１０に差込むピン７，８を有する。ピン７，８は、幅方向に間隔をあけて配列される。ケース６の内部には、ピン７，８への電気的接続部や、図の上方への可撓性ケーブル９の機械的保持手段が組込まれているけれども、図示は省略する。コンセント１０の内部には、差込まれたピン７，８を受けて弾性的に挟む刃受け１２，１３が設けられ、さらに刃受け１２，１３への電気的接続部や、機械的保持手段が組込まれているけれども、図示は省略する。
【００２６】
プラグ５をコンセント１０から外す際には、図１（ａ）に示す梃子部２，３の側方部２ｂ，３ｂを両側から挟む。図１（ａ）では、ピン７，８が刃受け１２，１３に嵌合している。梃子部２，３の側方部２ｂ，３ｂを両側から挟めば、図１（ｂ）に示すように、底板部２ａ，３ａの先端の屈曲部４が支点となり、屈曲部４まわりの揺動変位４ａ，４ｂで、梃子部２，３が時計回り、反時計回りにコンセント１０のケース表面１１から浮き上がる。この際に、ピン７，８を刃受け１２，１３との嵌合状態から引抜くことができる。ピン７，８は、刃受け１２，１３との嵌合状態から外れれば、プラグ５を引抜く抵抗は小さくなり、容易に外すことができる。側方部２ｂ，３ｂは、二本の指で挟んでも、梃子の作用で、十分にピン７，８を刃受け１２，１３から外すことができ、ケース６や可撓性ケーブル９には触れずに、高齢者も小児も安心してプラグ５を外すことができる。
【００２７】
図２は、図１のプラグ外し具１の構成を、（ａ）は平面視、（ｂ）は正面視、（ｃ）は右側面視で、それぞれ示す。プラグ外し具１は、厚さ１ｍｍ以下の電気絶縁性のプラスチック等を素材として、ブロー成型などで一体的に製造することができる。また、平坦な展開形状から折曲げて、底板部２ａ，３ａ、側方部２ｂ，３ｂ、外表面覆部２ｃ，３ｃを接合して形成することもできる。さらに、既存の化粧品液容器などの底部を利用し、加工して形成することもできる。
【００２８】
図２（ａ）に示すように、プラグ外し具１の底板部２ａ，３ａには、ピン７，８を挿通させるピン挿通孔７ａ，８ａが設けられる。ピンの挿通孔７ａ，８ａは、屈曲部４まわりの梃子部２，３の揺動で、底板部２ａ，３ａに対するピン７，８の位置の変化に追従可能なように、たとえばピン７，８の配列方向である、幅方向に余裕があるように形成すればよい。本実施例では、ピン７，８の断面形状に対応する形状の挿通孔７ａ，８ａと、挿通孔７ａ，８ａに関して、幅方向で、屈曲部４から離れる方向側の底板部２ａ，３ａの部分に形成され、梃子部２，３の揺動によるピン７，８の位置の相対的な移動で押込み可能な切片部７ｂ，８ｂが設けられる。切片部７ｂ，８ｂは、両側に、幅方向に延びる切込み７ｃ，７ｄ；８ｃ，８ｃを入れて、それぞれ形成することができる。
【００２９】
図２（ｃ）に示すように、梃子部３は、底板部３ａの幅を広くとっている。梃子部２も同様である。これは、コンセント１０への装着面が広がっているプラグ５にも使用可能なようにするためである。そのようなプラグ５は、対象から除外する場合は、幅を広くする必要はない。
【００３０】
なお、図２では、プラグ外し具１の底板部２ａ，３ａに、シール枠１５，１６をそれぞれ設けている例を示す。シール枠１５，１６は、シリコンゴムなどの弾発性を有する素材で、挿通孔７ａ，８ａの周囲を外囲する。プラグ外し具１の底板部２ａ，３ａと、プラグ５を差込むコンセント１０の表面１１との間に凹凸や隙間が生じても、シール枠１５，１６を設けておけば、電気絶縁性を低下させるような、ゴミなどがピン７，８の周囲に侵入しないようにすることができる。
【００３１】
図３は、図１のプラグ外し具１での梃子部２，３の作用状態を示す。図１（ｂ）に示す状態では、図１（ａ）でＱａまで挿入していたピン７，８を、Ｑｂまで、ΔＱだけ引抜いている。底板部２ａの傾斜角度をθとすると、ΔＱは、屈曲部４とプラグ５のケース６の角部との距離にｓｉｎθを掛けた値となる。角度θの傾斜で、底板部２ａに対してピン７の位置は、コンセントの表面１１で、屈曲部４からピン７までの距離を、ｃｏｓθで割った値となる。図２（ａ）に示す切片部７ｂは、ピン７の位置の相対的な変化に伴って湾曲する。
【００３３】
梃子部は、プラグのコンセントへの装着時に、ピン７，８の周囲を覆うので、プラグ外し具１を、着脱の頻度が小さい、常時使用機器のプラグ５に使用しても、塵やゴミの付着を防ぐ効果がある。
【実施例２】
【００３４】
図４は、本発明の実施例２としてのプラグ外し具２１の構成を示す。本実施例のプラグ外し具２１は、実施例１のプラグ外し部１と類似し、対応する部分の符号を、２０だけ異ならせて示し、重複する説明は省略する。
【００３５】
本実施例では、梃子部２２，２３の側方部２２ｂ，２３ｂの先端に、結合部２２ｄ，２３ｄを設け、押え部材２５，２６の下端に設ける結合部２５ａ，２６ａを着脱可能にしている。押え部材２５，２６を装着すると、押え部材２５，２６の上端に設ける挟み２５ｂ，２６ｂが可撓性ケーブル９を挟んで押え、プラグ外し具２１がプラグ５から離脱しないようにすることができる。また底板部２２ａ，２３ａには、図２に示すようなシール枠１５，１６を設けることもできる。なお、プラグ５からの離脱防止には、押え部材２５，２６ではなく、ひもで吊るようにしてもよい。
【産業上の利用可能性】
【００３６】
エネルギーをとりまく社会や生活環境の中で、節電は高い関心事となっている。不必要なプラグをコンセントなどから抜くことは、消費電力の低下に大きく寄与する。プラグをコンセントから抜く頻度が増すと、その負担から、今以上に障害が予測される。本願発明のプラグ外し具１，２１の利用価値は、その予測に対応するものである。
【００３７】
プラグ外し具１，２１は、独立した商品として製造販売することが可能であることはもちろん、ノベルティ商品としても利用可能である。高齢化社会を迎え、各種サービス業、医薬品、機器の公告媒体として、配布することができる。また、既成の容器の底部から加工して形成することもできるので、大人の適切な指導があれば、子供の工作で老人に役立つものを容易に製作することもできる。
【符号の説明】
【００３８】
１，２１  プラグ外し具
２，３，２２，２３  梃子部
２ａ，３ａ，２２ａ，２３ａ  底板部
２ｂ，３ｂ，２２ｂ，２３ｂ  側方部
２ｃ，３ｃ，２２ｃ，２３ｃ  外表面覆部
４，２４  屈曲部
５  プラグ
６  ケース
７，８  ピン
９  可撓性ケーブル
１０  コンセント
１２，１３  刃受け
１５，１６  シール枠
【要約】
【課題】  装着時に、プラグとコンセントとの間の隙間が狭くても、確実にプラグをコンセントから外すことが可能なプラグ外し具を提供する。
【解決手段】  プラグ５をコンセント１０から外す際には、梃子部２，３の側方部２ｂ，３ｂを両側から挟む。（ａ）では、ピン７，８が刃受け１２，１３に嵌合している。（ｂ）に示すように、底板部２ａ，３ａの先端の屈曲部４が支点となり、屈曲部４まわりの揺動変位４ａ，４ｂで、梃子部２，３が時計回り、反時計回りにコンセント１０のケース表面１１から浮き上がる。この際に、ピン７，８を刃受け１２，１３との嵌合状態から引抜くことができる。
【選択図】図１【図１】
0005395298.tif 000002
【図２】
0005395298.tif 000003
【図３】
0005395298.tif 000004
【図４】
0005395298.tif 000005